(57)【特許請求の範囲】
【請求項１】
屋根に太陽電池モジュールパネルを取り付けるための太陽電池モジュールパネルの取付治具であって、
内部に中空部を有し、上面に該中空部と連通する長手方向に延びるスリット部が形成されていて、前記屋根に固定されるレール部材と、
前記レール部材の前記中空部に頭部が収納され前記スリット部に軸部が挿通された締結部材により前記レール部材に固定される固定基部と前記太陽電池モジュールパネルの端部を受ける受部とを有する固定部材とを備え、
前記固定部材は、前記受部として、前記太陽電池モジュールパネルの端部の側面を受けために前記固定基部から立ち上げられた側面受部位と、前記太陽電池モジュールパネルの端部を上側から受ける上側受部位とを有しており、
前記上側受部位には、下向きに突出する下向突出片が設けられており、前記太陽電池モジュールパネルの端部に設けられた上向きに突出する上向突出片と係合可能とされているものであって、
前記上側受部位は、前記固定基部から立ち上げられた支持部で支持されており、前記下向突出片の下端部の内側面は、上方に向かうにつれて前記支持部との間が狭くなるテーパー形状又は面取り形状とされていることを特徴とする太陽電池モジュールパネルの取付治具。
【請求項２】
前記レール部材の前記中空部と前記締結部材の頭部との間及び前記レール部材のスリット部と前記締結部材の軸部との間には、遊びを有しており、前記締結部材を締結していない状態では、前記固定部材が前記レール部材の長手方向に移動可能とされていることを特徴とする請求項１に記載の太陽電池モジュールパネルの取付治具。
【請求項３】
前記上側受部位は、前記レール部材の長手方向の両側に向くように形成されていることを特徴とする請求項１又は２に記載の太陽電池モジュールパネルの取付治具。
【請求項４】
前記固定部材の前記固定基部は、前記締結部材が取り外された状態では前記レール部材の一方の端部側の分割片と他方の端部側の分割片とに分割可能とされており、前記分割片のいずれか一方に前記上側受部位が設けられていることを特徴とする請求項１乃至３のいずれか１項に記載の太陽電池モジュールパネルの取付治具。
【請求項５】
前記レール部材の前記中空部の端部には、前記締結部材の前記頭部の該中空部内での移動を制止するストッパー部が形成されていることを特徴とする請求項１乃至４のいずれか１項に記載の太陽電池モジュールパネルの取付治具。
【請求項６】
請求項１乃至５のいずれか１項に記載の太陽電池モジュールパネルの取付治具を用いて前記太陽電池モジュールパネルが前記屋根に取り付けられていることを特徴とする太陽電池モジュールパネルの取付構造。
【請求項７】
請求項１乃至５のいずれか１項に記載の太陽電池モジュールパネルの取付治具を屋根の上面に固定し、該取付治具の前記固定部材の前記固定基部の上面に斜めに傾斜させた状態で持ち上げた太陽電池モジュールパネルの一方の端部の下側角部を載せ、持ち上げていた他方の端部を下ろすことにより、前記太陽電池モジュールパネルの一方の端部が回転して前記固定部材の前記受部に嵌り込み、前記太陽電池モジュールパネルが前記取付治具を介して前記屋根に取り付けられることを特徴とする太陽電池モジュールパネルの取付方法。
【発明の詳細な説明】
【技術分野】
【０００１】
本発明は、屋根に太陽電池モジュールパネルを取り付けるための取付治具、この取付治具を用いた太陽電池モジュールパネルの取付構造、及びこの取付治具を用いた太陽電池モジュールパネルの取付方法に関するものである。
【背景技術】
【０００２】
従来から、レール部材と固定部材とを用いて建物の屋根に太陽電池モジュールパネルを取り付けるための取付治具が知られている（例えば、特許文献１等を参照）。
【先行技術文献】
【特許文献】
【０００３】
【特許文献１】特開２００１−２７１４６８号公報
【発明の概要】
【発明が解決しようとする課題】
【０００４】
しかしながら、特許文献１のような従来の太陽電池モジュールパネルの取付治具では、施工性を重視するあまり、太陽電池モジュールパネルの荷重を端部の固定部材のみで負担し、中間の固定部材は太陽電池モジュールパネル間の繋材の役目しか果たさない構成であった。
【０００５】
このため、特に傾斜屋根などに用いて実施する場合には、端部の固定部材に過大な荷重がかかってしまうので、長期間の供用に耐え得るかについて不安要素があった。
【０００６】
そこで、本発明は、太陽電池モジュールパネルを屋根に取り付けるための取付作業を容易に行えることは勿論、長期間の供用に耐え得る太陽電池モジュールパネルの取付治具、この取付治具を用いた太陽電池モジュールパネルの取付構造、及びこの取付治具を用いた太陽電池モジュールパネルの取付方法を提供することを目的としている。
【課題を解決するための手段】
【０００７】
前記目的を達成するために、本発明の太陽電池モジュールパネルの取付治具は、屋根に太陽電池モジュールパネルを取り付けるための太陽電池モジュールパネルの取付治具であって、内部に中空部を有し、上面に該中空部と連通する長手方向に延びるスリット部が形成され、前記屋根に固定されるレール部材と、前記レール部材の前記中空部に頭部が収納され前記スリット部に軸部が挿通された締結部材により前記レール部材に固定される固定基部と前記太陽電池モジュールパネルの端部を受ける受部とを有する固定部材とを備えていることを特徴とする。
【０００８】
ここで、前記レール部材の前記中空部と前記締結部材の頭部との間及び前記レール部材のスリット部と前記締結部材の軸部との間には、遊びを有しており、前記締結部材を締結していない状態では、前記固定部材が前記レール部材の長手方向に移動可能とされているとよい。
【０００９】
また、前記固定部材は、前記受部として、前記太陽電池モジュールパネルの端部の側面を受ける側面受部位と、前記太陽電池モジュールパネルの端部を上側から受ける上側受部位とを有するとよい。
【００１０】
さらに、前記上側受部位は、前記レール部材の長手方向の両側に向くように形成されているとよい。
【００１１】
また、前記上側受部位には、下向きに突出する下向突出片が設けられており、前記太陽電池モジュールパネルの端部に設けられた上向きに突出する上向突出片と係合可能とされているとよい。
【００１２】
また、前記上側受部位は、前記固定基部から立ち上がる支持部で支持されており、前記下向突出片の下端部の内側面は、上方に向かうにつれて前記支持部との間が狭くなるテーパー形状又は面取り形状とされているとよい。
【００１３】
さらに、前記固定部材の前記固定基部は、前記締結部材の取り外しにより前記レール部材の一方の端部側の分割片と他方の端部側の分割片とに分割可能とされており、前記分割片のいずれか一方に前記上側受部位が設けられているとよい。
【００１４】
また、前記レール部材の前記中空部の端部には、前記締結部材の前記頭部の該中空部内での移動を制止するストッパー部が形成されているとよい。
【００１５】
本発明の太陽電池モジュールパネルの取付構造は、上記した本発明の太陽電池モジュールパネルの取付治具を用いて前記太陽電池モジュールパネルが前記屋根に取り付けられていることを特徴とする。
【００１６】
本発明の太陽電池モジュールパネルの取付方法は、上記した本発明の太陽電池モジュールパネルの取付治具を屋根の上面に固定し、該取付治具の前記固定部材の前記固定基部の上面に斜めに傾斜させた状態で持ち上げた太陽電池モジュールパネルの一方の端部の下側角部を載せ、持ち上げていた他方の端部を下ろすことにより、前記太陽電池モジュールパネルの一方の端部が回転して前記固定部材の前記受部に嵌り込み、前記太陽電池モジュールパネルが前記取付治具を介して前記屋根に取り付けられることを特徴とする。
【発明の効果】
【００１７】
このような本発明の太陽電池モジュールパネルの取付治具は、屋根に太陽電池モジュールパネルを取り付けるための太陽電池モジュールパネルの取付治具である。
【００１８】
そして、内部に中空部を有し、上面に中空部と連通する長手方向に延びるスリット部が形成され、屋根に固定されるレール部材と、レール部材の中空部に頭部が収納されスリット部に軸部が挿通された締結部材によりレール部材に固定される固定基部と太陽電池モジュールパネルの端部を受ける受部とを有する固定部材とを備えた構成とされている。
【００１９】
こうした構成なので、太陽電池モジュールパネルを屋根に取り付けるには、取付治具を屋根に固定する作業と、固定部材の締結部材を締結する作業と、太陽電池モジュールパネルのレール部材上への載置作業とを行えば済むため、大変容易である。
【００２０】
そのうえ、通常、１つの取付治具に対し、複数枚の太陽電池モジュールパネルが載置されるが、この際、太陽電池モジュールパネル間の固定部材も締結部材によりレール部材に固定されるので、特に傾斜屋根などに用いて実施しても、レール部材の端部の固定部材のみに過大な荷重がかかってしまうことはなく、長期間の供用に耐え得る。
【００２１】
ここで、レール部材の中空部と締結部材の頭部との間及びレール部材のスリット部と締結部材の軸部との間には、遊びを有しており、締結部材を締結していない状態では、固定部材がレール部材の長手方向に移動可能とされている場合は、レール部材上の固定部材を所望の位置となるように容易に位置調整できるうえに、締結部材としてボルト及びナットを用いる際は、ボルトの軸部に上部からナットを螺合すると、初めはボルトの頭部が中空部の下側面に接するので、この下側面から受ける摩擦力によってナットを螺合することができ、途中からはボルトの頭部が中空部の上側面に接するので、この上側面から受ける摩擦力によってナットを螺合することができ、これにより、固定部材をレール部材にしっかりと固定することができる。
【００２２】
また、固定部材は、受部として、太陽電池モジュールパネルの端部の側面を受ける側面受部位と、太陽電池モジュールパネルの端部を上側から受ける上側受部位とを有する場合は、固定部材は太陽電池モジュールパネルの端部を側面側からだけでなく上側からも拘束するので、太陽電池モジュールパネルをより安定的な固定状態とすることができる。
【００２３】
さらに、上側受部位は、レール部材の長手方向の両側に向くように形成されている場合は、１つの取付治具に対し複数枚の太陽電池モジュールパネルを載置して実施する際、太陽電池モジュールパネル間の固定部材をそれぞれ１つずつとして実施することができる。
【００２４】
また、上側受部位には、下向きに突出する下向突出片が設けられており、太陽電池モジュールパネルの端部に設けられた上向きに突出する上向突出片と係合可能とされている場合は、下向突出片と上向突出片との係合により、太陽電池モジュールパネルをさらにより安定的な固定状態とすることができる。
【００２５】
また、上側受部位は、固定基部から立ち上がる支持部で支持されており、下向突出片の下端部の内側面は、上方に向かうにつれて支持部との間が狭くなるテーパー形状又は面取り形状とされている場合は、太陽電池モジュールパネルを取付治具に固定するに際し、太陽電池モジュールパネルの上向突出片の上端部が下向突出片のテーパー形状又は面取り形状の内側面にガイドされるので、下向突出片と上向突出片との係合を容易に行うことができる。
【００２６】
さらに、固定部材の固定基部は、締結部材の取り外しによりレール部材の一方の端部側の分割片と他方の端部側の分割片とに分割可能とされており、これら分割片のいずれか一方に上側受部位が設けられている場合は、締結部材を取り外せば、上側受部位が設けられている分割片を取り外せるので、太陽電池モジュールパネルの一方の端部が拘束されていない状態となり、この太陽電池モジュールパネルを容易に取り外すことができ、太陽電池モジュールパネルの取外作業を容易に行える。
【００２７】
また、レール部材の中空部の端部には、締結部材の頭部の中空部内での移動を制止するストッパー部が形成されている場合は、レール部材の端部の固定部材の締結部材が万一緩んだとしても頭部がストッパー部で制止されるので、より安全性を高めることができる。
【００２８】
このような本発明の太陽電池モジュールパネルの取付構造は、上記した本発明の太陽電池モジュールパネルの取付治具を用いて太陽電池モジュールパネルが屋根に取り付けられた構成とされている。
【００２９】
こうした構成なので、上記した本発明の太陽電池モジュールパネルの取付治具の効果を享受した太陽電池モジュールパネルの取付構造とすることができる。
【００３０】
このような本発明の太陽電池モジュールパネルの取付方法は、上記した本発明の太陽電池モジュールパネルの取付治具を屋根の上面に固定し、取付治具の固定部材の固定基部の上面に斜めに傾斜させた状態で持ち上げた太陽電池モジュールパネルの一方の端部の下側角部を載せ、持ち上げていた他方の端部を下ろすことにより、太陽電池モジュールパネルの一方の端部が回転して固定部材の受部に嵌り込み、太陽電池モジュールパネルが取付治具を介して屋根に取り付けられる構成とされている。
【００３１】
こうした構成なので、太陽電池モジュールパネルを簡易な取付作業で屋根に取り付けることができる。
【図面の簡単な説明】
【００３２】
【図１】実施例の太陽電池モジュールパネルの取付治具を用いた太陽電池モジュールパネルの取付構造の概略構成を説明する説明図である。
【図２】実施例の太陽電池モジュールパネルの取付治具の概略構成を示す斜視図である。
【図３】実施例の太陽電池モジュールパネルの取付治具を構成するレール部材の概略構成を示す斜視図である。
【図４】実施例の太陽電池モジュールパネルの取付治具を構成する固定部材の概略構成を示す図であって、（ａ）は分解した状態を示す斜視図であり、（ｂ）は組み立てた状態を示す斜視図である。
【図５】実施例の太陽電池モジュールパネルの取付治具を構成する固定部材の上側受部位の部分を拡大して示す部分拡大図である。
【図６】実施例の太陽電池モジュールパネルの取付治具を構成する中間に用いる固定部材の概略構成を示す斜視図である。
【図７】実施例の太陽電池モジュールパネルの取付治具の組み立てを説明するための説明図である。
【図８】図２におけるＡ−Ａ線矢視断面図である。
【図９】実施例の太陽電池モジュールパネルの取付方法を説明するための説明図である。
【図１０】実施例の太陽電池モジュールパネルの取付方法を説明するための説明図である。
【発明を実施するための形態】
【００３３】
以下、本発明を実施するための形態を、図面に示す実施例に基づいて説明する。
【実施例】
【００３４】
先ず、実施例の構成について説明する。
【００３５】
図１は、実施例の太陽電池モジュールパネルの取付治具１を用いた太陽電池モジュールパネルの取付構造の概略構成を示している。
【００３６】
この実施例の太陽電池モジュールパネルの取付構造では、建物Ｂの傾斜屋根Ｙの上に、取付治具１，・・・を介して、太陽電池モジュールパネル２，・・・が取り付けられている。
【００３７】
なお、取付治具１，・・・の下側の端部には、化粧部材３が設けられ、意匠的美観を呈するようになっている。
【００３８】
この実施例の太陽電池モジュールパネルの取付治具１については、図２に、その概略構成を示した。
【００３９】
この取付治具１は、レール部材１１と固定部材１２，・・・とから主に構成されている。
【００４０】
レール部材１１は、図３に示したように、概形が直方体を呈しており、内部に中空部１１ａを有し、上面には、この中空部１１ａと連通する長手方向に延びるスリット部１１ｂが形成されている。
【００４１】
なお、中空部１１ａの下方の部分も軽量化などを図るために中空となっている。
【００４２】
固定部材１２は、図４（ａ）及び図４（ｂ）に示したように、分割片１２Ａと分割片１２Ｂとが、締結部材としてのボルト１２０、ナット１２１、スプリングワッシャー１２２及び平ワッシャー１２３により、分割可能に一体化されている。
【００４３】
より詳細には、分割片１２Ａは、固定部材１２の固定基部１２ａの一部を形成し、上面に太陽電池モジュールパネル２の端部の側面を受ける受部１２ｂの一部である側面受部位１２６Ａが立ち上がるように形成された分割固定基部１２４Ａと、分割片１２Ｂと一体化するためのボルト孔１２５ａを有する固定板１２５とから主に構成されている。
【００４４】
また、分割片１２Ｂは、固定部材１２の固定基部１２ａの一部を形成し、下面に分割片１２Ａと一体化するためのボルト孔１２４ａを有し、上面に太陽電池モジュールパネル２の端部の側面を受ける受部１２ｂの一部である側面受部位１２６Ｂが立ち上がるように形成されるとともに、ナット１２１を締め付けたり緩めたりするための作業用孔１２４ｂを有する分割固定基部１２４Ｂと、支持板１２７に支持される太陽電池モジュールパネル２の端部を上側から受けて固定部として働く受部１２ｂの一部である上側受部位１２８とから主に構成されている。
【００４５】
ここで、上側受部位１２８は支持板１２７の上端部から両側に突出し、断面略Ｔ字形状となっている。
【００４６】
さらに、上側受部位１２８の外側端部には、下向きに突出する下向突出片１２８ａ，１２８ａが設けられており、後述する太陽電池モジュールパネル２の端部に設けられた上向きに突出する上向突出片２ａと係合可能とされている。
【００４７】
また、太陽電池モジュールパネル２の下側の端部側の上向突出片２ａとの係合を容易に行えるように、図５に示したように、レール部材１１の上側の端部側に配置された下向突出片１２８ａの下端部の内側面１２８ｂは、上方に向かうにつれて支持板１２７との間が狭くなるテーパー形状とされている。
【００４８】
さらに、太陽電池モジュールパネル２の上側の端部側の上向突出片２ａとの係合を容易に行えるように、レール部材１１の下側の端部側に配置された下向突出片１２８ａの下端部の内側面１２８ｃは、上方に向かうにつれて支持板１２７との間が狭くなるアール形状に近い面取り形状とされている。
【００４９】
なお、太陽電池モジュールパネル２，２間に挟まれる中間の固定部材１２では、図６に示したように、太陽電池モジュールパネル２の絶縁対策が万一損なわれた場合における漏電の被害を回避するために分割固定基部１２４Ａの部分にアース金具４が設けられている。
【００５０】
そして、図７に示したように、ナット１２１を緩めた状態で、レール部材１１の端部からその中空部１１ａに固定部材１２のボルト１２０の頭部１２０ａを挿入すると、図２に示したような取付治具１が完成する。
【００５１】
なお、レール部材１１の中空部１１ａとボルト１２０の頭部１２０ａとの間及びレール部材１１のスリット部１１ｂとボルト１２０の軸部１２０ｂとの間には遊びを有しており、これにより、ボルト１２０を緩めた状態においては、固定部材１２は、レール部材１１の長手方向に移動可能とされている。
【００５２】
また、レール部材１１の中空部１１ａの端部の下側面には、図８に示したように、ビス５が螺合されており、このビス５の頭部５ａは、ボルト１２０の頭部１２０ａがそれ以上外側に移動しないように制止するストッパー部となっている。
【００５３】
次に、実施例の太陽電池モジュールパネルの取付治具１を用いた太陽電池モジュールパネルの取付方法について説明する。
【００５４】
まず、建物Ｂの傾斜屋根Ｙの上面に、取付治具１を、傾斜方向に向かって、図示省略の固定用金具で固定する。
【００５５】
そして、その取付治具１に平行して略等間隔に複数の取付治具１，・・・を同じ要領で固定する。
【００５６】
続いて、２つのレール部材１１，１１単位で、傾斜方向の１列の太陽電池モジュールパネル２，・・・を複数の固定部材１２，・・・で固定する。
【００５７】
具体的には、レール部材１１の下側の端部において、図８に示した状態で、固定部材１２を、ナット１２１をレンチなどの工具で締め付けることにより固定する。
【００５８】
そして、レール部材１１，・・・の下側の端部の固定部材１２の外側に化粧部材３を取り付ける。
【００５９】
続いて、図９に示したように、この下側の端部の固定部材１２の分割固定基部１２４Ｂの上面に太陽電池モジュールパネル２の一方の端部の下側角部を載せ、持ち上げている他方の端部を下ろすと、矢印の方向に回転しながら、この太陽電池モジュールパネル２の上向突出片２ａと固定部材１２の上側受部位１２８の下向突出片１２８ａとが係合するとともに、太陽電池モジュールパネル２の端部の側面は、側面受部位１２６Ｂで受けられる。
【００６０】
そして、図１０に示したように、この作業をレール部材１１の上側の端部に向かって同じ要領で行っていくと、図１に示したようなこの実施例の太陽電池モジュールパネルの取付構造が完成する。
【００６１】
なお、太陽電池モジュールパネル２，・・・の取外作業は、逆の要領で行えばよい。
【００６２】
次に、実施例の作用効果について説明する。
【００６３】
このような実施例の太陽電池モジュールパネルの取付治具１は、傾斜屋根Ｙに太陽電池モジュールパネル２，・・・を取り付けるための太陽電池モジュールパネルの取付治具である。
【００６４】
そして、内部に中空部１１ａを有し、上面に中空部１１ａと連通する長手方向に延びるスリット部１１ｂが形成され、傾斜屋根Ｙに固定されるレール部材１１と、レール部材１１の中空部１１ａに頭部１２０ａが収納されスリット部１１ｂに軸部１２０ｂが挿通されたボルト１２０とナット１２１とによりレール部材１１に固定される固定基部１２ａと太陽電池モジュールパネル２の端部を受ける受部１２ｂとを有する固定部材１２とを備えた構成とされている。
【００６５】
こうした構成なので、太陽電池モジュールパネル２，・・・を傾斜屋根Ｙに取り付けるには、取付治具１，・・・を傾斜屋根Ｙ上に固定する作業と、固定部材１２のボルト１２０とナット１２１を螺合して締結する作業と、太陽電池モジュールパネル２，・・・のレール部材上への載置作業とを行えば済むため、大変容易である。
【００６６】
そのうえ、太陽電池モジュールパネル２，２間の固定部材１２もボルト１２０とナット１２１によりレール部材１１に固定されるので、レール部材１１の下側の端部の固定部材１２のみに過大な荷重がかかってしまうことはなく、長期間の供用に耐え得る。
【００６７】
ここで、レール部材１１の中空部１１ａとボルト１２０の頭部１２０ａとの間及びレール部材１１のスリット部１１ｂとボルト１２０の軸部１２０ｂとの間には、遊びを有しており、ナット１２１を緩めた状態では、固定部材１２がレール部材１１の長手方向に移動可能とされている。
【００６８】
このため、レール部材１１上の固定部材１２を所望の位置となるように容易に位置調整できる。
【００６９】
そのうえ、ボルト１２０の軸部１２０ｂに上部からナット１２１を螺合すると、初めはボルト１２０の頭部１２０ａが中空部１１ａの下側面に接するので、この下側面から受ける摩擦力によってナット１２１を螺合することができ、途中からはボルト１２０の頭部１２０ａが中空部１１ａの上側面に接するので、この上側面から受ける摩擦力によってナット１２１を螺合することができ、これにより、固定部材１２をレール部材１１にしっかりと固定することができる。
【００７０】
また、固定部材１２は、受部１２ｂとして、太陽電池モジュールパネル２の端部の側面を受ける側面受部位１２６Ａ，１２６Ｂと、太陽電池モジュールパネル２の端部を上側から受ける上側受部位１２８とを有する。
【００７１】
このため、固定部材１２は太陽電池モジュールパネル２の端部を側面側からだけでなく上側からも拘束するので、太陽電池モジュールパネル２をより安定的な固定状態とすることができる。
【００７２】
さらに、上側受部位１２８は、レール部材１１の長手方向の両側に向くように断面略Ｔ字形状に形成されている。
【００７３】
このため、太陽電池モジュールパネル２，２間の固定部材１２をそれぞれ１つずつとして実施することができる。
【００７４】
また、上側受部位１２８には、下向きに突出する下向突出片１２８ａ，１２８ａが設けられており、太陽電池モジュールパネル２の端部に設けられた上向きに突出する上向突出片２ａと係合可能とされている。
【００７５】
このため、下向突出片１２８ａと上向突出片２ａとの係合により、太陽電池モジュールパネル２をさらにより安定的な固定状態とすることができる。
【００７６】
さらに、上側受部位１２８は、固定基部１２ａから立ち上がる支持板１２７で支持されており、レール部材１１の上側の端部側に配置された下向突出片１２８ａの下端部の内側面１２８ｂは、上方に向かうにつれて支持板１２７との間が狭くなるテーパー形状とされている。
【００７７】
このため、太陽電池モジュールパネル２を取付治具１に固定するに際し、太陽電池モジュールパネル２の上向突出片２ａの上端部がこの下向突出片１２８ａのテーパー形状の内側面１２８ｂにガイドされるので、下向突出片１２８ａと上向突出片２ａとの係合を容易に行うことができる。
【００７８】
また、レール部材１１の下側の端部側に配置された下向突出片１２８ａの下端部の内側面１２８ｃは、上方に向かうにつれて支持板１２７との間が狭くなるアール形状に近い面取り形状とされている。
【００７９】
このため、太陽電池モジュールパネル２を取付治具１に固定するに際し、太陽電池モジュールパネル２の上向突出片２ａの上端部がこの下向突出片１２８ａの面取り形状の内側面１２８ｃにガイドされるので、下向突出片１２８ａと上向突出片２ａとの係合を容易に行うことができる。
【００８０】
さらに、固定部材１２の固定基部１２ａは、ナット１２１の取り外しによりレール部材１１の下側の端部側の分割片１２Ａと上側の端部側の分割片１２Ｂとに分割可能とされており、上側の端部側の分割片１２Ｂに上側受部位１２８が設けられている。
【００８１】
このため、ナット１２１を取り外せば、上側受部位１２８が設けられている上側の端部側の分割片１２Ｂを取り外せるので、太陽電池モジュールパネル２の上側の端部が拘束されていない状態となり、この太陽電池モジュールパネル２を容易に取り外すことができ、太陽電池モジュールパネル２の取外作業を容易に行える。
【００８２】
また、レール部材１１の中空部１１ａの下側の端部には、ボルト１２０の頭部１２０ａの中空部１１ａ内での移動を制止するストッパー部となるビス５の頭部５ａが設けられている。
【００８３】
このため、レール部材１１の下側の端部の固定部材１２のボルト１２０とナット１２１とが万一緩んだとしても頭部１２０ａがストッパー部となるビス５の頭部５ａで制止されるので、より安全性を高めることができる。
【００８４】
このような実施例の太陽電池モジュールパネルの取付構造は、上記した実施例の太陽電池モジュールパネルの取付治具１，・・・を用いて太陽電池モジュールパネル２，・・・が傾斜屋根Ｙに取り付けられた構成とされている。
【００８５】
こうした構成なので、上記した実施例の太陽電池モジュールパネルの取付治具１の作用効果を享受した太陽電池モジュールパネルの取付構造とすることができる。
【００８６】
このような実施例の太陽電池モジュールパネルの取付方法は、上記した実施例の太陽電池モジュールパネルの取付治具１，・・・を傾斜屋根Ｙの上面に固定し、取付治具１，１の固定部材１２の固定基部１２ａの分割片１２Ｂの上面に斜めに傾斜させた状態で持ち上げた太陽電池モジュールパネル２の一方の端部の下側角部を載せ、持ち上げていた他方の端部を下ろすことにより、太陽電池モジュールパネル２の一方の端部が回転して固定部材１２の受部１２ｂに嵌り込み、これを繰り返して太陽電池モジュールパネル２，・・・が取付治具１，・・・を介して傾斜屋根Ｙに取り付けられる構成とされている。
【００８７】
こうした構成なので、太陽電池モジュールパネル２，・・・を簡易な取付作業で傾斜屋根Ｙに取り付けることができる。
【００８８】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００８９】
例えば、上記した実施例では、取付治具１を傾斜屋根Ｙの上面に傾斜方向に向かって固定して実施したが、これに限定されず、取付治具１を傾斜屋根Ｙの上面に傾斜方向と直交する方向に向かって固定して実施してもよい。
【００９０】
また、上記した実施例では、取付治具１を傾斜屋根Ｙに適用して実施したが、これに限定されず、平屋根などに適用して実施してもよい。
【００９１】
また、上記した実施例では、２つのレール部材１１，１１単位で、傾斜方向の１列の太陽電池モジュールパネル２，・・・を複数の固定部材１２，・・・で固定するようにして実施したが、これに限定されず、例えば、３つのレール部材１１，１１，１１単位で、傾斜方向の１列の太陽電池モジュールパネル２，・・・を複数の固定部材１２，・・・で固定するようにして実施してもよい。
【００９２】
さらに、上記した実施例では、締結部材としてボルト１２０、ナット１２１、スプリングワッシャー１２２及び平ワッシャー１２３を用いて実施したが、これに限定されず、例えば、リベットなどを用いて実施してもよい。
【符号の説明】
【００９３】
Ｂ        建物
Ｙ        傾斜屋根（屋根）
１        取付治具
２        太陽電池モジュールパネル
２ａ      上向突出片
３        化粧部材
４        アース金具
５        ビス
５ａ      頭部（ストッパー部）
１１      レール部材
１１ａ    中空部
１１ｂ    スリット部
１２      固定部材
１２ａ    固定基部
１２ｂ    受部
１２Ａ    分割片
１２Ｂ    分割片
１２０    ボルト（締結部材）
１２０ａ  頭部
１２０ｂ  軸部
１２１    ナット（締結部材）
１２２    スプリングワッシャー（締結部材）
１２３    平ワッシャー（締結部材）
１２４Ａ  分割固定基部
１２４Ｂ  分割固定基部
１２４ａ  ボルト孔
１２４ｂ  作業用孔
１２５    固定板
１２５ａ  ボルト孔
１２６Ａ  側面受部位
１２６Ｂ  側面受部位
１２７    支持板（支持部）
１２８    上側受部位
１２８ａ  下向突出片
１２８ｂ  下向突出片の内側面
１２８ｃ  下向突出片の内側面
【図１】
0006029228.tif 000002
【図２】
0006029228.tif 000003
【図３】
0006029228.tif 000004
【図４】
0006029228.tif 000005
【図５】
0006029228.tif 000006
【図６】
0006029228.tif 000007
【図７】
0006029228.tif 000008
【図８】
0006029228.tif 000009
【図９】
0006029228.tif 000010
【図１０】
0006029228.tif 000011